(57)【要約】【課題】出庫部から入庫部へ空パレットを搬送するパレット搬送装置における空パレットの収容スペースを増加させること無く、入庫又は出庫が集中する場合であっても、車両を入庫又は出庫させたい利用者の待ち時間を短くする、ことを目的とする。【解決手段】機械式駐車装置１０は、入庫部２０、出庫部２２、車両１２を載置したパレット２４及び空パレット２４Ａを格納する格納庫２６、並びに格納庫２６を介さずに出庫部２２から入庫部２０へ空パレット２４Ａを搬送するパレット搬送装置２８を備え、パレット搬送装置２８に収容される空パレット２４Ａが補充要求数以下となった場合に、格納庫２６から出庫部２２を介して空パレット２４Ａをパレット搬送装置２８へ搬送し、パレット搬送装置２８に収容される空パレット２４Ａが排出要求数以上となった場合に、パレット搬送装置２８から入庫部２０を介して空パレット２４Ａをパレット搬送装置２８へ搬送する。【選択図】図３
2014084575.tif 000002
【特許請求の範囲】
【請求項１】
車両を入庫させる入庫部、車両を出庫させる出庫部、車両を載置したパレット及び車両を載置していない空パレットを格納する格納庫、並びに前記格納庫を介さずに前記出庫部から前記入庫部へ空パレットを搬送するパレット搬送装置を備えた機械式駐車装置の制御装置であって、
前記パレット搬送装置に収容される空パレットが第１所定数以下となった場合に、前記格納庫から前記出庫部を介して空パレットを前記パレット搬送装置へ搬送する第１処理、及び前記パレット搬送装置に収容される空パレットが第２所定数以上となった場合に、前記パレット搬送装置から前記入庫部を介して空パレットを前記格納庫へ搬送する第２処理の少なくとも一方を行う機械式駐車装置の制御装置。
【請求項２】
前記第１処理は、車両の出庫要求が無い場合に行われる請求項１記載の機械式駐車装置の制御装置。
【請求項３】
前記第２処理は、車両の入庫要求が無い場合に行われる請求項１又は請求項２記載の機械式駐車装置の制御装置。
【請求項４】
前記第１処理は、前記パレット搬送装置が収容する空パレットの枚数が前記第１所定数より１枚多く、車両の入庫要求が発生し、かつ出庫要求が無い場合に行われる請求項１から請求項３の何れか１項記載の機械式駐車装置の制御装置。
【請求項５】
前記第２処理は、前記パレット搬送装置が収容する空パレットの枚数が前記第２所定数より１枚少なく、車両の出庫要求が発生し、かつ入庫要求が無い場合に行われる請求項１から請求項４の何れか１項記載の機械式駐車装置の制御装置。
【請求項６】
車両を入庫させる入庫部と、
車両を出庫させる出庫部と、
車両を載置したパレット及び車両を載置していない空パレットを格納する格納庫と、
前記格納庫を介さずに前記出庫部から前記入庫部へ空パレットを搬送するパレット搬送装置と、
請求項１から請求項５の何れか１項記載の制御装置と、
を備える機械式駐車装置。
【請求項７】
前記パレット搬送装置は、床下に設けられる請求項６記載の機械式駐車装置。
【請求項８】
前記入庫部と前記出庫部とは、合計３つ以上備えられ、前記パレット搬送装置を介して前記出庫部から前記入庫部へ空パレットの搬送が可能とされている請求項６又は請求項７記載の機械式駐車装置。
【請求項９】
車両の入庫及び出庫の両方が可能とされ、かつ前記パレット搬送装置を介して前記入庫部及び前記出庫部の少なくとも一方と空パレットの搬送が行われる入出庫兼用部を備える請求項６から請求項８の何れか１項記載の機械式駐車装置。
【請求項１０】
車両を入庫させる入庫部、車両を出庫させる出庫部、車両を載置したパレット及び車両を載置していない空パレットを格納する格納庫、並びに前記格納庫を介さずに前記出庫部から前記入庫部へ空パレットを搬送するパレット搬送装置を備えた機械式駐車装置の制御方法であって、
前記パレット搬送装置に収容される空パレットが第１所定数以下となった場合に、前記格納庫から前記出庫部を介して空パレットを前記パレット搬送装置へ搬送する第１処理、及び前記パレット搬送装置に収容される空パレットが第２所定数以上となった場合に、前記パレット搬送装置から前記入庫部を介して空パレットを前記格納庫へ搬送する第２処理の少なくとも一方を行う機械式駐車装置の制御方法。
【発明の詳細な説明】
【技術分野】
【０００１】
本発明は、機械式駐車装置の制御装置、機械式駐車装置、及び機械式駐車装置の制御方法に関するものである。
【背景技術】
【０００２】
車両を出庫する出庫部において、出庫のために格納庫から取り出した車両を載置したパレットは、車両が出庫した後の空パレットを格納庫へ戻す必要がある。空パレットを格納庫に戻さないと、次の出庫のために車両を載置したパレットを取り出すスペースが無く次の出庫ができない。このため、機械式駐車装置は、出庫部の空パレットを再び格納庫へ戻す動作をしており、機会式駐車装置の効率的な運用ができず、出庫待ちの利用者が長く待つ場合があった。
【０００３】
同様に車両を入庫する入庫部において、入庫のための空パレットの取り出しと車両を載置したパレットの格納動作の動線が重複するため、入庫させる車両の格納が終わらないと、次の入庫処理が開始できないという問題があり、出庫部と同様に効率的な運用ができず、車両を入庫させたい利用者は長く待つ場合があった。
【０００４】
この問題を解決するために、特許文献１には、車両入出フロア上に設けられたパレット収納部から入庫部へ空パレットが繰り出される一方、車両が退出した後に空パレットが出庫部からパレット収納部へ収納されるパレット繰出収納機構を備えた機械式駐車装置が開示されている。
【０００５】
また、特許文献２には、機械式駐車装置を複数段の階層で構成し、各階層を複数のゾ−ンに分け、各ゾ−ンにおいて独立してパレットを前後左右に移動させつつ必要なパレットを台車通路側に設置換えを行うようにし、車を出庫した後の空パレットを出庫コンベヤ付昇降機により空パレット横送り装置を経由して入庫コンベヤ付昇降機側に移送して入庫車用に使用可能にした機械式駐車装置が開示されている。
【先行技術文献】
【特許文献】
【０００６】
【特許文献１】特開昭６３−５１５７４号公報
【特許文献２】特公平３−７６３８７号公報
【発明の概要】
【発明が解決しようとする課題】
【０００７】
ここで、機械式駐車装置では、入庫又は出庫の要求が集中する運用が頻繁に発生する。例えば、映画、演劇、又はスポーツ等のイベントが行われる施設に併設されている機械式駐車装置は、イベントの開始時刻に入庫が集中し、イベントの終了時刻に出庫が集中する。また、マンション等の住居施設では、朝の出勤時間帯に出庫が集中し、夕方の帰宅時間帯に入庫が集中する。また、オフィスビルでは、出社時間帯に入庫が集中し、退社時間帯に出庫が集中する。
【０００８】
このような、入庫又は出庫が集中する運用において、特許文献１に開示されている駐車場では、パレット繰出収納機構の収容可能パレット数が少ないと連続出庫時には出庫した空パレットを収容しきれず、連続入庫時にはパレット繰出収納機構のパレットが不足する問題が発生する。この問題に対しては、パレット繰出収納機構の収容数を多くすることで対処可能であるが、このためには大きな収容スペースを必要とし、現実的にはそのようなスペースを確保するのは困難である。
【０００９】
また、特許文献２に開示されている駐車場では、空パレットを収容する空パレット横送り装置は、車両の乗入れ階に設置されておらず、格納庫階に設置されており、空パレットは、昇降機で昇降されて空パレット横送り装置へ移動されているため、空パレットの搬送経路の重複による非効率な搬送という従来技術の問題点の解決は、限定的なものとなっている。
【００１０】
本発明は、このような事情に鑑みてなされたものであって、出庫部から入庫部へ空パレットを搬送するパレット搬送装置における空パレットの収容スペースを増加させることなく、入庫又は出庫が集中する場合であっても、車両を入庫又は出庫させたい利用者の待ち時間を短くできる、機械式駐車装置の制御装置、機械式駐車装置、及び機械式駐車装置の制御方法を提供することを目的とする。
【課題を解決するための手段】
【００１１】
上記課題を解決するために、本発明の機械式駐車装置の制御装置、機械式駐車装置、及び機械式駐車装置の制御方法は以下の手段を採用する。
【００１２】
本発明の第一態様に係る機械式駐車装置の制御装置は、車両を入庫させる入庫部、車両を出庫させる出庫部、車両を載置したパレット及び車両を載置していない空パレットを格納する格納庫、並びに前記格納庫を介さずに前記出庫部から前記入庫部へ空パレットを搬送するパレット搬送装置を備えた機械式駐車装置の制御装置であって、前記パレット搬送装置に収容される空パレットが第１所定数以下となった場合に、前記格納庫から前記出庫部を介して空パレットを前記パレット搬送装置へ搬送する第１処理、及び前記パレット搬送装置に収容される空パレットが第２所定数以上となった場合に、前記パレット搬送装置から前記入庫部を介して空パレットを前記格納庫へ搬送する第２処理の少なくとも一方を行う。
【００１３】
本構成に係る機械式駐車装置は、車両を入庫させる入庫部、車両を出庫させる出庫部、車両を載置したパレット及び車両を載置していない空パレットを格納する格納庫、並びに格納庫を介さずに出庫部から入庫部へ空パレットを搬送するパレット搬送装置を備える。このように、本構成に係る機械式駐車装置は、出庫部から入庫部へ空パレットが直接搬送される。
【００１４】
従来の機械式駐車装置において格納庫から出庫部へは、車両を載置したパレットのみが搬送されていた。すなわち、車両を載置していない空パレットが格納庫から出庫部へ搬送されることはなかった。
【００１５】
しかしながら、パレット搬送装置を備える機械式駐車装置において車両の入庫が連続すると、パレット搬送装置に収容されている空パレットが少なくなる。このような場合、従来の機械式駐車装置は、車両が出庫されるまでパレット搬送装置へ空パレットが搬送されないので、パレット搬送装置に空パレットが無くなると、格納庫から入庫部へ空パレットが搬送されることとなる。この場合、車両を載置するパレットの搬送経路（入庫部から格納庫）と空パレットの搬送経路（格納庫から入庫部）とが重複するので、車両を入庫させる利用者の待ち時間が長くなる。なお、パレット搬送装置における空パレットの収容数を多くすれば、待ち時間の問題は解消するが、パレット搬送装置における空パレットの収容スペースが増大する。
【００１６】
そこで、本構成は、パレット搬送装置に収容される空パレットが第１所定数以下となった場合に、格納庫から出庫部を介して空パレットをパレット搬送装置へ搬送させる。すなわち、従来では行われていなかった空パレットの格納庫から出庫部への搬送を行うことによって、パレット搬送装置への空パレットの補充が行われる。これにより、パレット搬送装置に空パレットを補充する場合でも、車両を載置するパレットの搬送経路と空パレットの搬送経路とが重複しない。そして、パレット搬送装置に空パレットが逐次補充されるので、機械式駐車装置は入庫が集中しても対応できる。
【００１７】
また、従来の機械式駐車装置において入庫部から格納庫へは、車両を載置したパレットのみが搬送されていた。すなわち、車両を載置していない空パレットが入庫部から格納庫へ搬送されることはなかった。
【００１８】
しかしながら、パレット搬送装置を備える機械式駐車装置において車両の出庫が連続すると、パレット搬送装置に搬送される空パレットが収容数を上回る可能性がある。この問題を解消するためには、機械式駐車装置は、空パレットを十分に収容できるようにパレット搬送装置における空パレットの収容数に余裕を持たせればよいが、パレット搬送装置における空パレットの収容スペースが増大する。
【００１９】
そこで、本構成は、パレット搬送装置に空パレットが第２所定数以上となった場合に、パレット搬送装置から入庫部を介して空パレットを格納庫へ搬送する。すなわち、従来では行われていなかった空パレットの入庫部から格納庫への搬送を行うことによって、パレット搬送装置からの空パレットの排出が行われる。これにより、本構成は、パレット搬送装置に空パレットの収容スペースが常に確保されることとなるので、出庫が集中しても対応できる。
なお、第１所定数と第２所定数は、同じ値であっても異なる値であってもよい。
【００２０】
従って、本構成は、出庫部から入庫部へ空パレットを搬送するパレット搬送装置における空パレットの収容スペースを増加させることなく、入庫又は出庫が集中する場合であっても、車両を入庫又は出庫させたい利用者の待ち時間を短くできる。
【００２１】
上記第一態様では、前記第１処理が、車両の出庫要求が無い場合に行われることが好ましい。
【００２２】
本構成によれば、車両を出庫させたい利用者の待ち時間を長くすることなく、パレット搬送装置に空パレットを補充できる。
【００２３】
上記第一態様では、前記第２処理が、車両の入庫要求が無い場合に行われることが好ましい。
【００２４】
本構成によれば、車両を入庫させたい利用者の待ち時間を長くすることなく、パレット搬送装置から空パレットを排出できる。
【００２５】
上記第一態様では、前記第１処理が、前記パレット搬送装置が収容する空パレットの枚数が前記第１所定数より１枚多く、車両の入庫要求が発生し、かつ出庫要求が無い場合に行われることが好ましい。
【００２６】
本構成によれば、パレット搬送装置から空パレットが無くなることを未然に防止できる。
【００２７】
上記第一態様では、前記第２処理が、前記パレット搬送装置が収容する空パレットの枚数が前記第２所定数より１枚少なく、車両の出庫要求が発生し、かつ入庫要求が無い場合に行われることが好ましい。
【００２８】
本構成によれば、パレット搬送装置に空パレットがあふれることを未然に防止できる。
【００２９】
本発明の第二態様に係る機械式駐車装置は、車両を入庫させる入庫部と、車両を出庫させる出庫部と、車両を載置したパレット及び車両を載置していない空パレットを格納する格納庫と、前記格納庫を介さずに前記出庫部から前記入庫部へ空パレットを搬送するパレット搬送装置と、上記記載の制御装置と、を備える。
【００３０】
本構成によれば、出庫部から入庫部へ空パレットを搬送するパレット搬送装置における空パレットの収容スペースを増加させることなく、入庫又は出庫が集中する場合であっても、車両を入庫又は出庫させたい利用者の待ち時間を短くできる。
【００３１】
上記第二態様では、前記パレット搬送装置が、床下に設けられることが好ましい。
【００３２】
本構成によれば、パレット搬送装置が床下に設けられることによって、パレット搬送装置の上方に構造物を立てることができるので、限られたスペースを効率よく利用できる。
【００３３】
上記第二態様では、前記入庫部と前記出庫部とが、合計３つ以上備えられ、前記パレット搬送装置を介して前記出庫部から前記入庫部へ空パレットの搬送が可能とされている。
【００３４】
上記第二態様では、車両の入庫及び出庫の両方が可能とされ、かつ前記パレット搬送装置を介して前記入庫部及び前記出庫部の少なくとも一方と空パレットの搬送が行われる入出庫兼用部を備えることが好ましい。
【００３５】
本発明の第三態様に係る機械式駐車装置は、車両を入庫させる入庫部、車両を出庫させる出庫部、車両を載置したパレット及び車両を載置していない空パレットを格納する格納庫、並びに前記格納庫を介さずに前記出庫部から前記入庫部へ空パレットを搬送するパレット搬送装置を備えた機械式駐車装置の制御方法であって、前記パレット搬送装置に収容される空パレットが第１所定数以下となった場合に、前記格納庫から前記出庫部を介して空パレットを前記パレット搬送装置へ搬送する第１処理、及び前記パレット搬送装置に収容される空パレットが第２所定数以上となった場合に、前記パレット搬送装置から前記入庫部を介して空パレットを前記格納庫へ搬送する第２処理の少なくとも一方を行う。
【発明の効果】
【００３６】
本発明によれば、出庫部から入庫部へ空パレットを搬送するパレット搬送装置における空パレットの収容スペースを増加させることなく、入庫又は出庫が集中する場合であっても、車両を入庫又は出庫させたい利用者の待ち時間を短くできる、という優れた効果を有する。
【図面の簡単な説明】
【００３７】
【図１】本発明の実施形態に係る機械式駐車装置の構成図である。
【図２】本発明の実施形態に係る機械式駐車装置の制御装置の電気的構成を示すブロック図である。
【図３】本発明の実施形態に係る機械式駐車装置が備えるパレットの搬送順序を示す模式図である。
【図４】本発明の実施形態に係る機械式駐車装置において入庫部と出庫部とが１台以上のパレット搬送装置を介して接続されている例を示す模式図である。
【図５】本発明の実施形態に係る機械式駐車装置において１台のパレット搬送装置に２つの出庫部と１つの入庫部が接続されている例を示す模式図である。
【図６】本発明の実施形態に係る機械式駐車装置において入庫部が複数設置されている例を示す模式図である。
【図７】本発明の実施形態に係る機械式駐車装置において出庫部が複数設置されている例を示す模式図である。
【図８】本発明の実施形態に係る機械式駐車装置において入出庫兼用部が設置されている例を示す模式図である。
【発明を実施するための形態】
【００３８】
以下に、本発明に係る機械式駐車装置の制御装置、機械式駐車装置、及び機械式駐車装置の制御方法の一実施形態について、図面を参照して説明する。
【００３９】
図１は、本実施形態に係る機械式駐車装置１０の構成図である。
【００４０】
機械式駐車装置１０は、車両１２を入庫させる入庫部２０、車両１２を出庫させる出庫部２２、及び車両１２を載置したパレット２４及び車両１２を載置していない空パレット２４Ａを格納する格納庫２６を備える。また、機械式駐車装置１０は、格納庫２６を介さずに出庫部２２から入庫部２０へ空パレット２４Ａを搬送するパレット搬送装置２８、出庫部２２と格納庫２６の間を昇降してパレット２４を搬送する出庫用昇降装置３０Ａ、及び入庫部２０と格納庫２６の間を昇降してパレット２４を搬送する入庫用昇降装置３０Ｂを備える。
【００４１】
本実施形態に係る機械式駐車装置１０は、入庫部２０及び出庫部２２が略同一平面上に位置することが好ましい。
【００４２】
本実施形態に係るパレット搬送装置２８は、１枚又は複数枚の空パレット２４Ａを収容可能とする。具体的には、パレット搬送装置２８は例えばベルトコンベアであり、一つのパレット搬送装置２８が一枚の空パレット２４Ａを搬送及び収容可能とされており、複数のパレット搬送装置２８が連続して設置されることで、パレット搬送装置２８は複数枚の空パレット２４Ａを収容可能とする。なお、図１の例では、空パレット２４Ａが２つ収容可能とされているので、図１に示されるパレット搬送装置２８は２つのパレット搬送装置２８によって構成されている。
【００４３】
本実施形態に係るパレット搬送装置２８は、例えば空パレット２４Ａを縦送り（パレット２４の長尺方向を搬送方向とする）、又は横送りできる機構となっており、設置方法によっては縦送りと横送りの両方の機能を備えてもよい。
【００４４】
また、本実施形態に係るパレット搬送装置２８は、上部に構造物が立てられ、その構造物の床下に設けられる。構造物は、例えば入庫部２０と出庫部２２の間に設けられた利用客の通路や待合室等であり、パレット搬送装置２８が床下に設けられることによって、パレット搬送装置２８の上方に構造物を立てることができるので、限られたスペースを効率よく利用できる。
【００４５】
なお、図１に示される機械式駐車装置１０は、一例であり、図１では、格納庫２６が２層であるが、格納庫２６は、１層又は３層以上でもよい。また、格納庫２６は、入庫部２０及び出庫部２２よりも下層に設置されているが、これに限らず、格納庫２６は、入庫部２０及び出庫部２２よりも上層に設置されてもよいし、入庫部２０及び出庫部２２よりも上層及び下層両方に設置されてもよい。
【００４６】
また、機械式駐車装置１０は、パレット搬送装置２８、出庫用昇降装置３０Ａ、及び入庫用昇降装置３０Ｂ等の移動を制御するための制御装置４０を備えている。
【００４７】
図２は、機械式駐車装置１０の制御装置４０の電気的構成を示すブロック図である。
【００４８】
制御装置４０は、ＣＰＵ（Central  Processing  Unit）４２、各種プログラムや各種パラメータ等が予め記憶されたＲＯＭ（Read  Only  Memory）４４、ＣＰＵ４２による各種プログラムの実行時のワークエリア等として用いられるＲＡＭ（Random  Access  Memory）４６、各種プログラム及び各種情報を記憶する記憶手段としてのＨＤＤ（Hard  Disk  Drive）４８を備えている。
【００４９】
なお、ＨＤＤ４８の代わりに、ＥＥＰＲＯＭ（Electrically  Erasable  Programmable  Read-Only  Memory）、フラッシュメモリ、バッテリバックアップ付きのＳＲＡＭ（Static  Random  Access  Memory）等の記憶素子を用いてもよく、プログラム、利用者情報、及び設定値等のデータの種類に応じて記憶素子を使い分けて記憶させてもよい。
【００５０】
また、制御装置４０は、パレット搬送装置２８、出庫用昇降装置３０Ａ、入庫用昇降装置３０Ｂ、及び格納されているパレット２４等を駆動させるための各種モータ（不図示）を制御するモータ制御部５０、パレット搬送装置２８、出庫用昇降装置３０Ａ、入庫用昇降装置３０Ｂ、及びパレット２４等の動作状態を検知するセンサ（不図示）からの信号を受信するセンサ信号受信部５２を備えている。
【００５１】
さらに、制御装置４０は、操作盤５４が接続されている。
【００５２】
操作盤５４は、機械式駐車装置１０の利用者が操作可能なように、入庫部２０又は出庫部２２の外側、又は待合室等に設けられ、例えば、スイッチ、タッチパネル、ＩＣカード、リモコン装置等を介して各種操作（入庫又は出庫の指示等）の入力を受け付ける共に、文字や画像等を表示する液晶ディスプレイ装置、表示ランプ等の表示装置、音声合成装置による音声、警報音を出すスピーカによって、種々の情報を利用者のために提供する。
【００５３】
これらＣＰＵ４２、ＲＯＭ４４、ＲＡＭ４６、ＨＤＤ４８、モータ制御部５０、センサ信号受信部５２、及び操作盤５４は、システムバス５６を介して相互に電気的に接続されている。従って、ＣＰＵ４２は、ＲＯＭ４４、ＲＡＭ４６、及びＨＤＤ４８へのアクセス、操作盤５４に対する操作状態の把握及び画像の表示、モータ制御部５０を介したモータの駆動、並びにセンサ信号受信部５２を介したパレット搬送装置２８、出庫用昇降装置３０Ａ、入庫用昇降装置３０Ｂ、及びパレット２４等の動作状態の把握を行なうことができる。
【００５４】
そして、制御装置４０は、パレット搬送装置２８に収容される空パレット２４Ａが第１所定数以下（以下、「補充要求数」という。）となった場合に、格納庫２６から出庫部２２を介して空パレット２４Ａをパレット搬送装置２８へ搬送する空パレット補充処理を行う。また、制御装置４０は、パレット搬送装置２８に収容される空パレット２４Ａが第２所定数（以下、「排出要求数」という。）以上となった場合に、パレット搬送装置２８から入庫部２０を介して空パレット２４Ａを格納庫２６へ搬送する空パレット排出処理を行う。
なお、補充要求数と排出要求数は、同じ値であっても異なる値であってもよい。
【００５５】
次に、本実施形態に係る機械式駐車装置１０におけるパレット２４の搬送順序について図３を参照して説明する。なお、パレット２４の搬送は、制御装置４０によって制御される。
【００５６】
本実施形態に係る機械式駐車装置１０における出庫の流れは、以下の通りである。
【００５７】
操作盤５４を介して出庫要求のあった車両１２を載置したパレット２４が、格納庫２６から出庫用昇降装置３０Ａへ搬送されて、出庫用昇降装置３０Ａによって出庫部２２へ搬送される（図３の（１）−１）。
【００５８】
次に、出庫部２２で出庫する車両１２に運転者が乗り込み、出庫部２２から車両１２が退出する（図３の（１）−２）。
【００５９】
次に、出庫部２２に残った空パレット２４Ａが、パレット搬送装置２８へ搬送される（図３の（１）−３）。
【００６０】
また、本実施形態に係る空パレット補充処理の流れは、以下の通りである。
【００６１】
ここで、従来の機械式駐車装置１０において格納庫２６から出庫部２２へは、車両１２を載置したパレット２４のみが搬送されていた。すなわち、車両１２を載置していない空パレット２４Ａが、格納庫２６から出庫部２２へ搬送されることはなかった。
【００６２】
しかしながら、パレット搬送装置２８を備える機械式駐車装置１０において車両１２の入庫が連続すると、パレット搬送装置２８に収容されている空パレット２４Ａが少なくなる。このような場合、従来の機械式駐車装置１０は、車両１２が出庫されるまでパレット搬送装置２８へ空パレット２４Ａが搬送されないので、パレット搬送装置２８に収容される空パレット２４Ａが無くなると、格納庫２６から入庫部２０へ空パレット２４Ａが搬送されることとなる。この場合、車両１２を載置するパレット２４の搬送経路（入庫部２０から格納庫２６）と空パレット２４Ａの搬送経路（格納庫２６から入庫部２０）とが重複するので、車両１２を入庫させる利用者の待ち時間が長くなる。なお、パレット搬送装置２８における空パレット２４Ａの収容数を多くすれば、待ち時間の問題は解消するが、パレット搬送装置２８における空パレット２４Ａの収容スペースが増大する。
【００６３】
そこで、本実施形態に係る機械式駐車装置１０の制御装置４０は、空パレット補充処理を行う。
【００６４】
まず、パレット搬送装置２８が収容する空パレット２４Ａの枚数が補充要求数以下となった場合に、車両１２の出庫要求が無いことの判定が行われる。これが満たされた場合に空パレット補充処理が行われることとなる。
一方、出庫要求がある場合には、上記判定後に当該出庫要求による出庫後に発生した空パレット２４Ａをパレット搬送装置２８へ搬送する処理（図３の（１）−３）が行われ、空パレット２４Ａの補充が行われる場合があるため、当該出庫要求に対する処理が完了した後に再度空パレット補充処理の実行要否の判定が行われる。
【００６５】
なお、パレット搬送装置２８が収容する空パレット２４Ａの枚数が補充要求数より１枚多く、車両１２の入庫要求が発生する場合、パレット搬送装置２８から空パレット２４Ａが排出されるので、空パレット２４Ａの枚数が補充要求枚数に達する。このため、パレット搬送装置２８が収容する空パレット２４Ａの枚数が補充要求数より１枚多く、操作盤５４を介して入庫要求が発生し、かつ出庫要求が無い場合に、空パレット補充処理が行われてもよい。これにより、制御装置４０は、パレット搬送装置２８から空パレット２４Ａが無くなることを未然に防止できる。
【００６６】
次に、出庫部２２まで搬送された空パレット２４Ａが、パレット搬送装置２８へ搬送される（図３の（２））。
【００６７】
このように、本実施形態に係る機械式駐車装置１０は、従来では行われていなかった空パレット２４Ａの格納庫２６から出庫部２２への搬送を行うことによって、パレット搬送装置２８への空パレット２４Ａの補充を行う。これにより、パレット搬送装置２８に空パレット２４Ａを補充する場合でも、車両１２を載置するパレット２４の搬送経路と空パレット２４Ａの搬送経路とが重複しない。そして、パレット搬送装置２８に空パレット２４Ａが逐次補充されるので、機械式駐車装置１０は入庫が集中しても対応できる。
【００６８】
また、空パレット補充処理が、車両１２の出庫要求が無い場合に行われることによって、車両１２を出庫させたい利用者の待ち時間を長くすることなく、パレット搬送装置２８に空パレット２４Ａを補充できる。
【００６９】
一方、本実施形態に係る機械式駐車装置１０における入庫の流れは、以下の通りである。
【００７０】
操作盤５４を介して入庫要求があると空パレット２４Ａが、パレット搬送装置２８によって入庫部２０へ搬送される（図３の（３）−１）。
【００７１】
次に、運転者は入庫部２０の空パレット２４Ａ上に車両１２を停め、降車する（図３の（３）−２）。
【００７２】
次に、入庫させる車両１２を載置したパレット２４が、格納庫２６へ搬送され、格納棚へ格納される（図３の（３）−３）。
【００７３】
また、本実施形態に係る空パレット排出処理の流れは、以下の通りである。
【００７４】
ここで、従来の機械式駐車装置１０において入庫部２０から格納庫２６へは、車両１２を載置したパレット２４のみが搬送されていた。すなわち、車両１２を載置していない空パレット２４Ａが入庫部２０から格納庫２６へ搬送されることはなかった。
【００７５】
しかしながら、パレット搬送装置２８を備える機械式駐車装置１０において車両１２の出庫が連続すると、パレット搬送装置２８に搬送される空パレット２４Ａが収容数を上回る可能性がある。この問題を解消するためには、機械式駐車装置１０は、空パレット２４Ａを十分に収容できるようにパレット搬送装置２８における空パレット２４Ａの収容数に余裕を持たせればよいが、パレット搬送装置２８における空パレット２４Ａの収容スペースが増大する。
【００７６】
そこで、本実施形態に係る機械式駐車装置１０の制御装置４０は、空パレット排出処理を行う。
【００７７】
まず、パレット搬送装置２８に収容される空パレット２４Ａが排出要求数以上の場合、すなわち、パレット搬送装置２８に空パレット２４Ａを収容する空きスペースが無くなった場合に、入庫要求が無いことの判定が行われる。これが満たされた場合に空パレット排出処理が行われることとなる。
一方、入庫要求がある場合には、上記判定後に当該入庫要求による空パレット２４Ａをパレット搬送装置２８から排出する処理（図３の（３）−１）が行われる場合があるため、当該入庫要求に対する処理が完了した後に再度空パレット排出処理の実行要否の判定が行われる。
【００７８】
なお、パレット搬送装置２８が収容する空パレット２４Ａの枚数が排出要求数より１枚少ない場合に出庫要求が発生する場合、パレット搬送装置２８に空パレット２４Ａが補充されるので、空パレット２４Ａの枚数が排出要求枚数に達する。このため、パレット搬送装置２８が収容する空パレット２４Ａが排出要求数より１枚少なく、操作盤５４を介して出庫要求が発生し、かつ入庫要求が無い場合に、空パレット排出処理が行われてもよい。これにより、制御装置４０は、パレット搬送装置２８に空パレット２４Ａがあふれることを未然に防止できる。
【００７９】
次に、入庫部２０に搬送された空パレット２４Ａは、入庫用昇降装置３０Ｂで格納庫２６へ搬送され、格納庫２６へ格納される（図３の（４））。
【００８０】
このように、本実施形態に係る機械式駐車装置１０は、従来では行われていなかった空パレット２４Ａの入庫部２０から格納庫２６への搬送を行うことによって、パレット搬送装置２８からの空パレット２４Ａの排出を行う。これにより、機械式駐車装置１０は、パレット搬送装置２８に空パレット２４Ａの収容スペースが常に確保されることとなるので、出庫が集中しても対応できる。
【００８１】
ここで、パレット搬送装置の数、パレット収容数、補充要求数、排出要求数について説明する。下記表１にパレット搬送装置の数、パレット収容数に応じた、補充要求数、排出要求数の設定例を示す。
【表１】
2014084575.tif 000003
【００８２】
前述のように、図１に示される本実施形態では、パレット搬送装置２８は２つのパレット搬送装置２８で構成されている。
表１は、パレット搬送装置２８の空パレット２４Ａの収容数を１とし、空きスペースを１とする場合、補充要求数を０、排出要求数を２に設定する例を示している。これにより、入庫処理によりパレット搬送装置から空パレット２４Ａが無くなり空パレット数が０となった場合に、空パレット２４Ａの補充要求が発生して、補充処理を行われることにより空パレット２４Ａの数は１になる。また、出庫処理によりパレット搬送装置２８の空パレット２４Ａの数が２となった場合に、空パレット２４Ａの排出要求が発生して、排出処理が行われることにより空パレット２４Ａの数は１となる。
【００８３】
また、表１では、パレット搬送装置２８の設置数が１の場合に排出要求数を２としている。この場合、前述のように空パレット収容数が１＝排出要求数（２）−１となり、かつ出庫要求が発生した場合、入庫要求の有無が確認された後、空パレット２４Ａの排出処理が行われる。これにより、パレット搬送装置２８において空パレット２４Ａの収容数が２となってあふれることがなく、空パレット収容数を１に保つことができる。
【００８４】
また、表１は、パレット搬送装置２８の設置数が３の場合、空パレット収容数を運用状況に応じて、１又は２に設定する例を示している。例えば商業施設において、来客が増える午前中の時間帯では入庫処理が連続する割合が高くなるので、空パレット収容数が多めに設定される。一方、客が帰宅する午後の時間帯では出庫処理が連続する割合が高くなるので、空パレット収容数が少なめに設定される。これにより、制御装置４０は、空パレット２４Ａの排出要求、補充要求の発生を抑えつつ運用することができる。
【００８５】
同様にパレット搬送装置２８の設置数が４以上に増えた場合でも、空パレット収容数、補充要求数、排出要求数が設定されればよい。
【００８６】
次に、機械式駐車装置１０における入庫部２０、出庫部２２、及びパレット搬送装置２８の組み合わせについて説明する。
【００８７】
上述した図１等に示される機械式駐車装置１０は、入庫部２０及び出庫部２２が一対備えられており、入庫部２０と出庫部２２との間にパレット搬送装置２８が備えられているが、これに限らず、機械式駐車装置１０は、入庫部２０、出庫部２２、及びパレット搬送装置２８が１つ以上備えられていればよい。
【００８８】
図４は、入庫部２０と出庫部２２とが１台以上（図４の例では２台）のパレット搬送装置２８を介して接続されている例である。
【００８９】
図５は、１台のパレット搬送装置２８に２つの出庫部２２と１つの入庫部２０が接続されている例である。
【００９０】
図６は、入庫部２０が複数設置されている例である。この場合、各入庫部２０はパレット搬送装置２８を介して出庫部２２に接続される。すなわち、複数（Ｎ）の入庫部２０と接続先の出庫部２２は、Ｎ：１の関係であり、複数の入庫部２０が、１つの出庫部２２とパレット搬送装置２８で接続されて連携する。
【００９１】
図６に示されるように、入庫部２０毎に異なるパレット搬送装置２８によって、入庫部２０と出庫部２２とが接続されている場合、出庫部２２の空パレット２４Ａは、空きスペースのあるパレット搬送装置２８の空いている方へ搬送される。
【００９２】
両方のパレット搬送装置２８が空きスペースを有している場合は、例えば、（Ａ）交互に搬送する、（Ｂ）空きスペースの多い方（枚数、空きの比率）へ搬送する、（Ｃ）優先的に格納するパレット搬送装置２８を設定する、の何れかを操作盤５４を介して係員が選択して予め設定する。
【００９３】
なお、上述の（Ｃ）を予め設定する場合は、利用率が高く空パレット２４Ａを取り出す頻度（以下、「利用頻度」という。）の高い入庫部２０に接続されたパレット搬送装置２８へ優先して空パレット２４Ａが収容されるように設定することが好ましい。例えば、建物の入り口部に近い入庫部２０や利用者の多い入り口部に近い入庫部２０が、利用頻度の高い入庫部２０とされる。また、利用時間帯に応じて利用者の流れが変わり、入庫部２０の利用頻度が変化する場合は、状況に応じて利用頻度の高い入庫部２０に接続されたパレット搬送装置２８が優先されるように設定される。
【００９４】
上記（Ｃ）における設定は、係員が選択して設定されてもよいし、過去の利用頻度の実績データに基づいて制御装置４０が判断して設定されてもよい。
【００９５】
上記各設定は、操作盤５４のメンテナンスモード画面より、操作員、保守員など許可を受けた係員が実施する。上記各設定は、機械式駐車装置１０の運用状況に応じて随時行ってもよいし、機械式駐車装置１０の運用開始前に設定しても良い。
【００９６】
図７は、出庫部２２が複数設置されている例である。この場合、各出庫部２２はパレット搬送装置２８を介して入庫部２０に接続される。すなわち、入庫部２０と複数（Ｎ）の出庫部２２とは、１：Ｎの関係である。
【００９７】
図７に示されるように、１つの入庫部２０に対して複数の出庫部２２が設置され、各々が別のパレット搬送装置２８で接続されている場合、入庫部２０は空パレット２４Ａを収容しているパレット搬送装置２８から空パレット２４Ａを取り出す。空パレット２４Ａが両方のパレット搬送装置２８に収容されている場合は、（Ａ）交互に取り出す、（Ｂ）収容数の多い方（収容枚数、収容数の比率）から取り出す、（Ｃ）優先的に取り出すパレット搬送装置２８を設定する、の何れかを操作盤５４を介して係員が選択して予め設定する。
【００９８】
なお、上述の（Ｃ）を予め設定する場合は、図６に対する説明と同様に、利用頻度が高い出庫部２２に接続されているパレット搬送装置２８の優先順位が高くなるように設定される。
【００９９】
また、図８に示されるように機械式駐車装置１０は、車両１２の入庫及び出庫の両方が可能とされ、かつパレット搬送装置２８を介して入庫部２０及び出庫部２２の少なくとも一方と空パレット２４Ａの搬送が行われる入出庫兼用部６０を備えてもよい。
【０１００】
この場合、図６，７の設定が可能なように、入庫部２０、出庫部２２、パレット搬送装置２８、及び入出庫兼用部６０が設置される。
【０１０１】
以上説明したように、本実施形態に係る機械式駐車装置１０は、車両１２を入庫させる入庫部２０、車両１２を出庫させる出庫部２２、車両１２を載置したパレット２４及び車両１２を載置していない空パレット２４Ａを格納する格納庫２６、並びに格納庫２６を介さずに出庫部２２から入庫部２０へ空パレット２４Ａを搬送するパレット搬送装置２８を備える。そして、機械式駐車装置１０の制御装置４０は、パレット搬送装置２８に収容される空パレット２４Ａが補充要求数以下となった場合に、格納庫２６から出庫部２２を介して空パレット２４Ａをパレット搬送装置２８へ搬送し、パレット搬送装置２８に収容される空パレット２４Ａが排出要求数以上となった場合に、パレット搬送装置２８から入庫部２０を介して空パレット２４Ａをパレット搬送装置２８へ搬送する。
【０１０２】
従って、本実施形態に係る機械式駐車装置１０は、出庫部２２から入庫部２０へ空パレット２４Ａを搬送するパレット搬送装置２８における空パレット２４Ａの収容スペースを増加させることなく、入庫又は出庫が集中する場合であっても、車両１２を入庫又は出庫させたい利用者の待ち時間を短くできる。
【０１０３】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【０１０４】
例えば、上記実施形態では、機械式駐車装置１０が空パレット補充処理及び空パレット排出処理を行う形態について説明したが、本発明は、これに限定されるものではなく、機械式駐車装置１０が空パレット補充処理及び空パレット排出処理の何れか一方のみを行う形態としてもよい。
【０１０５】
また、上記実施形態では、機械式駐車装置１０として図１に示される形態について説明したが、本発明は、これに限定されるものではなく、入庫部２０及び出庫部２２を備える機械式駐車装置１０であれば他の形態としてもよい。
【０１０６】
また、パレット搬送装置２８の配置例を図４から図８に示し説明したが、本発明は、これに限定されるものではなく、パレット搬送装置２８の配置は他の形態とされてもよい。
【符号の説明】
【０１０７】
１０    機械式駐車装置
１２    車両
２０    入庫部
２２    出庫部
２４    パレット
２４Ａ  空パレット
２６    格納庫
２８    パレット搬送装置
４０    制御装置
【図１】
2014084575.tif 000004
【図２】
2014084575.tif 000005
【図３】
2014084575.tif 000006
【図４】
2014084575.tif 000007
【図５】
2014084575.tif 000008
【図６】
2014084575.tif 000009
【図７】
2014084575.tif 000010
【図８】
2014084575.tif 000011